(57)【要約】【課題】    容易に撮影対象が撮影画面に収まるように撮影を行なえる画像撮影装置を提供することを課題とする。【解決手段】  画像撮影装置１の表示画面３に、撮影ターゲットとなる人物がフレームの中心になる範囲４をガイダンスとして表示し、この範囲４と撮影範囲５を合わせて撮影することにより、撮影ターゲットが撮影範囲５の中心に来る、最も良いと思われるアングルで写真６を撮影することが出来る。【選択図】      図１
2005277724.tif 000002
【特許請求の範囲】
【請求項１】
画像を表示する表示手段と、
前記表示手段に表示する表示画像を取得する表示画像取得手段と、
前記表示画像の中から撮影対象を検索する撮影対象検索手段と、
撮影対象検索手段が検索した撮影対象が、適切に撮影される画像範囲を決定するベストアングル範囲決定手段と、
前記ベストアングル範囲決定手段が決定した画像範囲を前記表示手段による表示画像上にガイダンス表示するガイダンス手段と、
を備えることを特徴とする画像撮影装置。
【請求項２】
前記撮影対象検索手段が検索した撮影対象が複数あるとき、前記ベストアングル範囲決定手段が画像範囲を決定する撮影対象を、使用者によって指定された撮影対象に変更する撮影対象変更手段を更に備えることを特徴とする請求項１に記載の画像撮影装置。
【請求項３】
前記撮影対象検索手段は、検索した撮影対象が複数あり、撮影画像の範囲に重なりがあるとき、当該重なりがある複数の撮影対象を新たな１つの撮影対象とすることを特徴とする請求項１乃至２のいずれか１つに記載の画像撮影装置。
【請求項４】
前記ベストアングル範囲決定手段が決定した画像範囲が、撮影範囲と一致したとき使用者に報知する報知手段を更に備えることを特徴とする請求項１乃至３のいずれか１つに記載の画像撮影装置。
【請求項５】
ベストアングル範囲決定手段は、前記撮影対象検索手段が検索した撮影対象が撮影範囲内に収まる範囲を、前記画像範囲として決定することを特徴とする請求項１乃至４のいずれか１つに記載の画像撮影装置。
【請求項６】
表示手段を備えた画像撮影装置内で実行されるプログラムであって、
前記表示手段に表示する表示画像を取得する機能と、
前記表示画像の中から撮影対象を検索する機能と、
前記検索した撮影対象が、画面内に収まる画像範囲を決定するする機能と
前記ベストアングル範囲決定手段が決定した画像範囲を前記表示手段による表示画像上にガイダンス表示するする機能と
を実現するプログラム。
【発明の詳細な説明】
【技術分野】
【０００１】
本実施形態は、画像撮影装置に関する。
【背景技術】
【０００２】
近年カメラ等の画像撮影装置では、自動露出（ＡＥ）、自動焦点（ＡＦ）など、撮影のための種々の技術が発展し、専門家のような高度の技術を持たなくても、比較的容易に意図通りの撮影結果を得ることができるようになってきた。
【０００３】
また、近年の画像撮影装置では、「夜景」や「風景」などのその撮影シーンに応じて撮影モードを設定すると、その設定モードに基づいて画像撮影装置が色合いなどを自動的に変更する機種も存在している。
【０００４】
またフレーミングについても特許文献１では、ファインダー表示画面上にグリッドパターンを表示し、これを構図の決定の参考にすることによって、使用者にガイドを行なう技術が開示されている。
【特許文献１】特開２００２−２９０７８０号公報（段落［００１６］〜［００１８］、図２、図３、図４）
【発明の開示】
【発明が解決しようとする課題】
【０００５】
上述したように、現在画像撮影装置は、撮影のための助けとなる様々な機能が実用化され、また発表されており、使用者の撮影技術が未熟でも比較的容易に撮影を行なえるようになっている。しかし、現在実用化されたり、或いは発表されている技術には、撮影ターゲットが確実に撮影範囲内に収まるように補助するものはない。
【０００６】
画像撮影装置１００による撮影は、図１０に示すように、画像撮影装置１００を撮影ターゲット１０１に向けて狙いを定め撮影を行なう。そのため、撮影が下手な人が撮影を行なった場合や、撮影時の足場などが悪い場合などには、思い通りに撮影ターゲット１０１を中心にした撮影が行なえない場合があり、被写体がフレーム１０２からはみ出て撮影されてしまうなどの失敗が生じることがある。
【０００７】
また特許文献１に開示されている方法では、ファインダー表示画面上に表示されるガイドは構図の参考とはなるが、フレーム内に撮影ターゲットが収まるようにガイダンスするものではない。
【０００８】
また撮影モードを設定できる機種の場合、モード設定によって撮影イメージの色合いなどの調節は行なうが、実際に撮影する撮影ターゲットの位置などの考慮を行なうわけではない。
【０００９】
上記問題点を鑑み、本発明は、撮影対象を特定して、この撮影対象が撮影画面に収まるようにガイダンスすることが出来る画像撮影装置及びプログラムを提供することを課題とする。
【００１０】
また使用者が高度な技術を持たなくても、容易に目的の撮影対象が適切に撮影できる画像撮影装置及びプログラムを提供することを課題とする。
【課題を解決するための手段】
【００１１】
上記問題点を解決する為、本発明による画像撮影装置は、表示手段、表示画像取得手段、撮影対象検索手段、ベストアングル範囲決定手段及びガイダンス手段を備える。
表示手段は、画像を表示する。
【００１２】
表示画像取得手段は、前記表示手段に表示する表示画像を取得する。
撮影対象検索手段は、前記表示画像の中から撮影対象を検索する。
ベストアングル範囲決定手段は、撮影対象検索手段が検索した撮影対象が、適切に撮影される画像範囲を決定する。
【００１３】
ガイダンス手段は、前記ベストアングル範囲決定手段が決定した画像範囲を前記表示手段による表示画像上にガイダンス表示する。
この構成により、撮影対象が撮影範囲に収まる等適切に撮影される画像範囲が使用者にガイダンスされ、このガイダンスに基づいて撮影を行なうことによる適宜な写真を撮影することが出来る。
【００１４】
また、前記撮影対象検索手段が検索した撮影対象が複数あるとき、前記ベストアングル範囲決定手段は、使用者によって指定された撮影対象の画像範囲を決定する構成としても良い。
【００１５】
この構成により、複数の撮影対象のうち、使用者によって指定された撮影対象に対するガイダンスが行なわれる。
更に、前記撮影対象検索手段が検索した撮影対象が複数あるとき、前記ベストアングル範囲決定手段が画像範囲を決定する撮影対象を、使用者によって指定された撮影対象に変更する撮影対象変更手段を更に備える構成とすることも出来る。
【００１６】
この構成により、複数の撮影対象を使用者の指示によって、切り替えてゆくことが出来る。
また前記撮影対象検索手段は、検索した撮影対象が複数あり、撮影画像の範囲に重なりがあるとき、当該重なりがある複数の撮影対象を新たな１つの撮影対象とする構成とすることが出来る。
【００１７】
この構成により、複数の撮影対象を１つの新たな撮影対象として処理することが出来る。
更に、前記ベストアングル範囲決定手段が決定した画像範囲が、撮影範囲と一致したとき使用者に報知する報知手段を更に備える構成とすることが出来る。この報知は、例えば前記ガイダンスによる表示を変更することによって行なわれる。
【００１８】
この構成により、適宜な撮影が行なえる画像撮影装置の位置を使用者に通知することが出来る。
また本発明は、表示手段を備えた画像撮影装置内で実行されるプログラムもその範囲に含む。
【発明の効果】
【００１９】
本実施形態によれば、撮影対象を特定して、この撮影対象が適切に撮影される範囲をガイダンスすることが出来るので、使用者が高度な技術を持たなくても、容易に目的の撮影対象が適切に撮影することが出来る。
【００２０】
また撮影対象が複数存在していても、使用者はそれらを容易に切り替えて撮影を行なうことが出来る。
【発明を実施するための最良の形態】
【００２１】
以下に本実施形態に係る一実施形態を図面を参照しながら説明する。
図１に本実施形態における画像撮影装置による撮影の概略を示す。
同図（ａ）に示すように、本実施形態による画像撮影装置１で人などを撮影ターゲット２として撮影しようとするとき、予め画像撮影装置１に対してモード設定を行なっておくと、設定されたモードに基づいてフレーム画面から撮影したい撮影ターゲットを検索し、その撮影ターゲットが最も適切（ベストアングル）に撮影されると思われる範囲４をファインダーから見える表示画面（若しくは液晶表示部に表示された表示画面）３内に範囲表示するようにする。同図（ｂ）の画面では、表示画面３ａのように撮影ターゲットとなる人物がフレームの中心になる範囲４をガイダンスとして表示し、この範囲４と撮影範囲５を表示画面３ｂのように合わせて撮影することにより、撮影ターゲットが撮影範囲５の中心に来る、最も良いと思われるアングルで写真６を撮影することが出来る。
【００２２】
図２は、実施形態における画像撮影装置の外観図を示す図である。
本実施形態における画像撮影装置１は、その概観上の特徴として、機能ボタンをシャッターボタン１４や液晶表示部１５の横に設けてある。この機能ボタンには、モード設定ボタン１１、モードオンオフボタン１２、ターゲット変更ボタン１３があり、これらを操作することにより、ベストアングル処理に対する設定を行なう。
【００２３】
モード設定ボタン１１は、撮影ターゲットをサーチする際に、撮影ターゲットとなる被写体の種類を設定するものである。モード設定ボタン１１による設定に基づいて、画像撮影装置１では、表示画面の画像に対して画像処理を行なって、撮影ターゲットをサーチする。ここで設定できるモードとしては、本例では「人物・動物」「建物」「物」の３種類があるものとするが、この３つに限定されるものではなく、別の分類の仕方で撮影ターゲットとなる被写体の種類を分類し、それぞれにモードを設けても良い。またこのモード設定ボタン１１による設定方法は、現行の画像撮影装置によって夜景モードやフラッシュの設定などを行なう場合と同様、設定するモードにモード設定ボタン１１をスライドして設定したり、液晶表示部１５に設定するモードの候補を表示させて、これをモード設定ボタン１１を操作して選択する。
【００２４】
モードオンオフボタン１２は、ベストアングルをサーチし表示するベストアングルモードのオン／オフの設定を行う。このモードオンオフボタン１２を押下する度に、ベストアングルモードのオン／オフが切り替わる。また、このモードオンオフボタン１２は、一度ベストアングル範囲を設定した状態をキャンセルしベストアングル範囲の再設定を行なう場合にも利用するもので、ベストアングルモードがオンの状態で、更にモードオンオフボタン１２を２回押すと撮影ターゲット及びその撮影ターゲットに対するベストアングル範囲の再設定を行なう。
【００２５】
ターゲット変更ボタン１３は、撮影ターゲットが複数ある場合に、撮影ターゲットを切り替えるのに利用するもので、撮影ターゲットが複数ある場合、ターゲット変更ボタン１３を押す度に撮影ターゲットが変更される。
【００２６】
図３は、画像撮影装置１の内部構成例を示すブロック図である。
同図の例では画像撮影装置１は、Ａ／Ｄ変換器２３、画像処理部２５、入出力制御部２６、画像処理用メモリ２９、画像メモリ３０、ベストアングルメモリ３１及びメモリカードインタフェース３２がバスライン３３によって接続され、バスライン３３によって互いにデータをやり取りできるように構成されている。
【００２７】
レンズ２０は、ガラスまたはプラスチックよりなる光学レンズ及びその駆動装置からなり、撮影制御部２４からの制御指示によって光軸方向に駆動して焦点合わせを行なったり、ズーム機能を実現したりする。ＣＣＤ２１は、光信号を電気信号に変換するもので、レンズ２０を介して結像された被写体の光学像を光電変換し、被写体の光学像に応じたアナログの撮像信号を出力する。撮像プロセス２２は、撮影制御部２４からの制御指示があると、ＣＣＤ画像記録装置２１から入力されたアナログ信号を増幅し、サンプリングしてＡ／Ｄ変換器２３に出力するものである。Ａ／Ｄ変換器２３は、撮影制御部２４から入力されたアナログ信号をデジタル信号に変換するものである。撮影制御部２４は、画像撮影装置１による画像の撮影処理の制御を司るもので、内部に記憶したプログラムを実行することにより、レンズ２０を制御して焦点合わせやズーム機能を実現したり、ＣＣＤ２１や撮像プロセス２２を制御して撮影画像の画像データを画像メモリに記録する等の撮影機能を実現する。画像処理部２５は、撮影を行なう際に、Ａ／Ｄ変換器２５からの出力に対して、事前に設定されている種々の撮影条件を考慮した画像処理を行なった後、圧縮処理を行ない撮影画像の画像データを生成する。また画像処理部２５は、後述する撮影ターゲットのサーチを行なったり、またＡ／Ｄ変換器２３から出力されるスルー画像の画像データにベストアングル処理としてベストアングル範囲を示す枠を合成した画像の画像データを画像処理用メモリ２９に生成する処理を行なう。
【００２８】
入出力制御部２６は、内部にＲＯＭ，ＲＡＭ、ＣＰＵを持つコントローラで、ＲＯＭリに記憶したプログラムを実行することにより、使用者が入力部２７を操作して行なった入力指示に対する各種処理や表示部２８で表示するスルー画像や各種情報を表示する為の処理制御を行なうものである。またこの入出力制御部２６は、ベストアングル範囲を求める等のベストアングル処理の為の種々の処理を行なう。入力部２７は、使用者が操作入力を行なうためのスイッチ等で、図２に示した各種機能ボタン、シャッターボタン２４、不図示の電源キー、モード選択キー、十字キー、決定キー等の複数の操作キーを含む構成となっており、使用者によるキー操作に応じたキー入力信号を入出力制御部２６に出力する。出力部２８は、カラーＬＣＤとその駆動回路とを有し、ＣＣＤ２１によって撮像された被写体画像をスルー画像として表示したり、画像メモリ３０やメモリカードに記憶されている撮影画像を表示する液晶表示部１５や、使用者に音声で通知を行なう為の音声出力部である。画像処理用メモリ２９は、画像処理部２５が画像処理を行なった画像データを格納するメモリで、入出力制御部２６は、この画像処理用メモリ２９内の画像データに基づいて表示部２８による表示を行なったり、撮影画像の画像データを画像メモリ３０に格納する。画像メモリ３０は、画像撮影装置１によって撮影された複数の撮影画像のデータが記憶されるメモリである。ベストアングルメモリ３１は、ベストアングル範囲の画像データが格納されるメモリである。メモリカードインタフェース３２は、画像データを保存するメモリカードをマウントするインタフェースで、使用者の指示に基づいて入出力制御部２６は、画像メモリ３０内の画像データをメモリカードインタフェース３２がマウントしているメモリカードへ転送する。また、撮影制御部２４、画像処理部２５、入出力制御部２６はコンピュータ及びプログラムを内蔵し、プログラムはコンピュータに後述するフローチャートに記載の機能を実行させるものである。
【００２９】
次に本実施形態の画像撮影装置１を用いた撮影時の動作を説明する。
図４に、ベストアングルをサーチするベストアングル処理時の画像撮影装置１による動作を示す。同図では以下の（１）〜（５）の順番で処理を行なってゆくものとする。
【００３０】
尚以下の説明では、「人物・動物モード」に設定した場合を例として説明しているが、「人物・動物」モード以外のモード、「建物」「物」などのモードでの動作に関しては、ここでは詳細な動作は示さないが、他のモードでの動作は撮影ターゲットの決定の仕方が異なるだけで、他の基本的な部分は「人物・動物」モードの場合と同じである。各モードにおけるターゲットの決定の仕方は種々考えられるが、例えば、画像処理の技術を用い、表示画面に占める面積から、占有率から建物、人物・動物、物を区別する。また動きがあるものは、人物・動物と区別する。また建物の場合には、複数を撮影ターゲットとしない。
（１）表示範囲内の撮影ターゲットのサーチ
モード設定ボタン１１を操作して「人物・動物」モードに設定し、モードオンオフボタン１２を押してベストアングル処理をオンにした時のファインダーから見える表示画面若しくは液晶表示部に表示された表示画面を４０−１に示す。本例では、「人・動物」モードに設定されているので、画像撮影装置１は表示画面４０−１内に表示されているものの中から画像処理技術を用いて人や動物をサーチし、撮影対象となる撮影ターゲットとして３つの撮影ターゲット４１ａ、４１ｂ、４１ｃを検索する。また３つの撮影ターゲット４１ａ、４１ｂ、４１ｃが検索されたので、撮影ターゲット数を３に設定する。
【００３１】
尚示したベストアングル範囲が表示される表示画面４０は、ファインダーから見える表示画面でも液晶表示部１５上に表示される表示画面でも良いが、ファインダーから見える表示画面の場合には、ファインダー内にＬＣＤによる表示部を備える構成となる。
（２）撮影ターゲットの範囲の決定
３つの撮影ターゲット４１ａ、４１ｂ、４１ｃそれぞれに対して、各撮影ターゲットのＸ方向（縦方向）、Ｙ方向（横方向）の最小値ｘ１、ｙ１、最大値ｘ２、ｙ２を求め、この値から各撮影ターゲットの右上、右下、左上及び左下の座標を取得して撮影ターゲットが収まる範囲を決定する。表示画面４０−１中の点線枠４２ａ、４２ｂ、４２ｃで囲まれた範囲が各撮影ターゲット４１ａ、４１ｂ、４１ｃの範囲となる。尚この点線枠４２は、表示画面４０兆には表示されない。
（３）範囲が重なっている場合の処理
（２）で決定した撮影ターゲットの範囲４２ａ、４２ｂ、４２ｃに重なっている部分があるかを調べる。図４の例では撮影ターゲット４１ａと４１ｂの範囲４２ａと４２ｂが重なっている。範囲に重なりがある場合、この２つのターゲット両方を含むものを新たな撮影ターゲットとして追加し、重なった範囲を含む全体の範囲を新しい撮影ターゲットの範囲４２ｄとする。この処理は、人と人が接触しているような場合などにおいて、複数の撮影ターゲットを新たな１つの撮影ターゲットとして処理する為に実施する。
【００３２】
範囲４２ａと４２ｂの場合では、２つの範囲４２ａ、４２ｂの両方を内包する範囲４２ｄが新しい撮影ターゲットの範囲となり、表示画面４０−３にはこの範囲４２ｄが追加表示されている。また撮影ターゲットが１つ追加されるので、撮影ターゲット対象数は４となる。
（４）対象となっている撮影ターゲットのベストアングル範囲の表示
撮影ターゲットが複数ある場合、その内の１つを対象とし、その撮影ターゲットの範囲を元に最も良いと思われる範囲（ベストアングル範囲）を決定し画面表示する。ベストアングル範囲４３は、撮影ターゲット範囲４２を中心にして写真の撮影範囲に収まるように設定されたものである。
【００３３】
表示画面４０−４では、撮影ターゲット４１ａを中心としたベストアングル範囲４３ａを表示している。またこのとき、撮影ターゲットが複数ある場合、画面左下に◆マーク４４を表示して、使用者に通知する。
（５）対象としている撮影ターゲットの変更
表示画面上に◆マーク４４が表示されている場合は、撮影ターゲットが複数あるので、この状態で使用者がターゲット変更ボタン１３を押下すると、対象としている撮影ターゲットが変更され、ベストアングル範囲４３を変更することができる。
【００３４】
表示画面４０−５では、ターゲット変更ボタン１３を押すことで、撮影ターゲット４１ａによるベストアングル範囲４３ａの表示から、撮影ターゲット４１ｂを対象とするベストアングル範囲４３ｂへ表示を変更している。使用者は、このターゲット変更ボタン１３を操作することで、自分が撮影したい撮影ターゲットに対するベストアングル範囲に変更することができるようになる。尚表示画面４０−５の状態で、更にターゲット変更ボタン１３を押下すると撮影ターゲット４１ｃを対象とするベストアングル範囲４３が表示され、更にターゲット変更ボタン１３を押下すると、（３）で追加した範囲４２ｄを中心とした（撮影ターゲットして４１ａと４１ｂの両方を対象とした）ベストアングル範囲４３が表示される。以下、ターゲット変更ボタン１３を押す度に対象とする撮影ターゲットを循環して変更したベストアングル範囲４３が表示画面上４０に表示され、使用者はこれらの中の１つを表示した状態にし、これを図１に示した撮影範囲５と合わせるなどして位置を決めた後、シャッターボタン１４を押下して撮影を行なう。
【００３５】
図５は、本実施形態の画像撮影装置１の動作処理全体を示すフローチャートである。
同図の処理において、まずステップＳ１では、画像撮影装置１は、使用者がモード設定ボタン１１の操作によって指示したモードにモード設定を行なう。また、使用者がモードオンオフボタン１２を押下するとベストアングルモードをオンにして処理を開始し、ステップＳ２に移る。
【００３６】
このステップＳ１の処理に関する詳細は図６を用いて後述する。
ステップＳ２は、図４で示したベストアングル処理を実現するもので、撮影ターゲットをサーチし、各撮影ターゲット毎にベストアングル範囲を決定し、これを表示する。
【００３７】
このステップＳ２の処理の概略を示すと以下のようになる。
・表示画像に対する画像処理による各撮影ターゲットのサーチ（ステップＳ２ａ）
・各撮影ターゲットの位置情報の取得、及びその範囲の決定（ステップＳ２ｂ）
・各撮影ターゲットのベストアングル範囲の決定（ステップＳ２ｃ）
このステップＳ２の処理に関する詳細は図７を用いて後述する。
【００３８】
続くステップＳ３は、ステップＳ２で複数の撮影ターゲット対象が存在した場合に、使用者がターゲット変更ボタン１３を操作して、撮影ターゲット対象を変更する場合の処理である。これにより対象となっている撮影ターゲットが切り替わり、ファインダーや液晶表示部に表示されるベストアングル範囲は変更される。
【００３９】
このステップＳ３の処理に関する詳細は図８を用いて後述する。
ステップＳ４では、シャッターボタン１４の押下に対する撮影処理である。この撮影処理では、撮影画像を取り込み画像メモリに保存を行なう。
【００４０】
このステップＳ４の処理に関する詳細は図９を用いて後述する。
図６は、図５のステップＳ１１に対応する、ベストアングルモード設定処理における動作を示すフローチャートである。尚同図の処理は、入出力制御部１６が自己の内部メモリに記憶されているプログラムを実行することによって実現される。
【００４１】
同図の処理が開始されると、ステップＳ１１のベストアングルモード設定として、どのようなものを撮影ターゲットとするのかを設定する。この設定は、モード設定ボタン１１を使用者が操作することによって行なわれ、画像撮影装置１内では入出力制御部２６が、モード設定ボタン１１による設定指示に基づいて、モードの設定を行ない、撮影対象を決定する。本例では、設定できるモードとしては、「人物・動物」「建物」「物」、・・・（図中ステップＳ２からＳ５）とあり、使用者はこれらのモードを撮影対象に応じて選択して、モード設定ボタン１１によって設定指示を行ない、画像撮影装置１は、「人物・動物」モード（ステップＳ１２）、「建物」モード（ステップＳ１３）、「物」モード（ステップＳ１４）、・・・モード（ステップＳ１５）と、モード設定として指示されたモードに基づく指示設定を、撮影ターゲットのサーチを受け持つ画像処理部２５に対して行なう。
【００４２】
ステップＳ１２〜Ｓ１５のモード設定を行なった後、ステップＳ１６として使用者によるモードオンオフボタン１２の押下を検知すると、入出力制御部２６は、図５のステップＳ２に処理を移して、ベストアングルモード処理を開始する。尚ステップＳ１６においてモードオンオフボタン１２の押下を検知しないとステップＳ２の処理へは移らず、ベストアングル処理を行なわずに通常の撮影を行なう状態のままに留まり、この状態でシャッターボタン１４が押下されると、ベストアングル処理を行なわずに通常の画像撮影装置と同様の撮影が行なわれる。またベストアングルモードに移行した以降に、モードオンオフボタン１２の押下を検知するとベストアングルモードから抜けて通常の撮影を行なう状態となる。
【００４３】
また、ベストアングル範囲を再設定したい場合には、モードオンオフボタン１２を押下してベストアングルモードから抜けた後、再度モードオンオフボタン１２を押下することによって、撮影ターゲットの探索から再度処理を開始される。これにより、ベストアングル範囲が表示された後で、撮影状態が変化して適切な画面表示がされていないような状態になった場合に対処できる。
【００４４】
図７は、図５のステップＳ２に対応する、撮影ターゲットをサーチしベストアングル範囲を表示する処理のフローチャートである。尚同図の処理は、入出力制御部１６が自己の内部メモリに記憶されているプログラムを内部メモリをワークメモリとして実行することによって実現される。
【００４５】
同図の処理が開始されると、まずステップＳ２１として、入出力制御部２６は、画像処理部２５に対してファインダーから見える表示画面若しくは液晶表示部に表示される表示画面内に人物・動物などの撮影ターゲットが存在するかを、画像処理用メモリ２９内の表示画像用の画像データに対して画像処理を行なわせ、サーチさせる。
【００４６】
次にステップＳ２２として、入出力制御部２６は、画像処理部２５がサーチした撮影ターゲットが幾つあるかをカウントし、その数を自己の内部メモリ内の変数（ＣＮＴ）７１に保存する。尚本処理では撮影ターゲット数が１以上であるものとし、撮影ターゲット数が０の場合は、本処理を終了する。
【００４７】
次にステップＳ２３では、入出力制御部２６は、ループ処理に用いる変数（ｎ）に１をセットして初期化する。そしてステップＳ２４として、変数（ｎ）が変数（ＣＮＴ）７１内の撮影ターゲット数以内（ｎ＜＝ＣＮＴ）であるかをチェックし、撮影ターゲット数（ＣＮＴ）以内の場合（ステップＳ２４、ＹＥＳ）、ステップＳ２５として、ｎ番目の撮影ターゲットの上下右左座標を取得し、取得した座標で囲まれた範囲を座標情報７２として内部メモリ内に格納する。そしてステップＳ２６として、変数（ｎ）に１を加えた後、ステップＳ２４に処理を戻す。
【００４８】
以降、ステップＳ２４〜Ｓ２６の処理を変数（ｎ）が撮影ターゲット数を超えるまで繰り返し、各撮影ターゲットの範囲を求める。
ステップＳ２４において、変数（ｎ）が撮影ターゲット数（ＣＮＴ）を超えたならば（ステップＳ２４、ＮＯ）、ステップＳ２７として、ステップＳ２５の処理で求まった各撮影ターゲットの座標情報７２をチェックし、各撮影ターゲットの範囲が重なっていないかを調べる。
【００４９】
その結果、各撮影ターゲットの範囲に重なりがある場合（ステップＳ２８、ＹＥＳ）、ステップＳ２９として、重なった範囲を含む全体の範囲を求め、新しい撮影ターゲットの範囲としてメモリ内に座標情報７２を追加する。尚このステップＳ２９の処理は、重なりが複数ある場合には、それらの重なり全てに対して行なう。そしてステップＳ３０として、ステップＳ２９で新たに撮影ターゲットとなった数を変数（ＣＮＴ）に加える。またステップＳ２８において、重なりが無い場合は（ステップＳ２８、ＮＯ）、ステップＳ２９、Ｓ３０の処理をスキップして、ステップＳ３１以降の処理を行なう。
【００５０】
ステップＳ３１では、入出力制御部２６は、今までの処理で求まり内部メモリ内に記憶されている座標情報７２から１番目の撮影ターゲットの座標情報７２を取得し、その範囲を中心とした撮影範囲と同じサイズの座標範囲（ベストアングル範囲）７３を決定し内部メモリへ記憶する。このベストアングル範囲が撮影ターゲットを中心とした最も良いと思われるアングルとなる。
【００５１】
次にステップＳ３２として、入出力制御部２６は、今現在処理している撮影ターゲット処理番号を内部メモリ内の変数（Ｔ＿ＮＯ）７４に格納する。ここでは、１と格納される。この値は、撮影ターゲットが複数ある場合、現在対象としている撮影ターゲットが何番目のものかを表しており、後述する撮影ターゲット変更処理時に使用する。
【００５２】
ステップＳ３３では、決定したベストアングル範囲を表示画面内に表示する。このベストアングル範囲の表示は、撮影範囲とは違う線、色等を用いて区別できるようにする。
そして最後に、ステップＳ３４としてベストアングル範囲の画像の画像データをベストアングルメモリ３１へ記憶して本処理を終了する。
【００５３】
このように、図７のような処理を行うことで、撮影ターゲットをサーチし、その撮影ターゲットのベストアングル範囲を決定し手、表示することができる。
図８は、図５のステップＳ３に対応する、使用者がターゲット変更ボタン１３を押下したときに行なわれる、ベストアングル範囲を表示している、対象としている撮影ターゲットを変更する処理を示すフローチャートである。本処理は撮影ターゲットが複数ある場合に有効となる。
【００５４】
尚同図の処理も、入出力制御部１６が自己の内部メモリに記憶されているプログラムを内部メモリをワークメモリとして実行することによって実現される。
本処理では、まずステップＳ４１として、現在表示処理している撮影ターゲットの対象番号（Ｔ＿ＮＯ）７４を内部メモリから取得する。この処理を行なったときは、この値は１となる。
【００５５】
次にステップＳ４２として、取得した撮影ターゲットの対象番号（Ｔ＿ＮＯ）が撮影ターゲットの数（ＣＮＴ）より少ないか（（Ｔ＿ＮＯ）＋１≦（ＣＮＴ））を調べ、少なかった場合（ステップＳ４２、ＹＥＳ）、次の撮影ターゲット対象があるので、ステップＳ４３として撮影ターゲット処理番号（Ｔ＿ＮＯ）を１つカウントアップする。またステップＳ４２で取得した撮影ターゲットの対象番号（変数（Ｔ＿ＮＯ）＋１）が撮影ターゲットの数（ＣＮＴ）より少なくなく、の撮影ターゲット対象が無い場合は（ステップＳ４２、ＮＯ）、ステップＳ４４として撮影ターゲット対象番号（Ｔ＿ＮＯ）を先頭の番号、即ち初期値の１に戻す。
【００５６】
次にステップＳ４５として、入出力制御部２６は、前処理で決定した撮影ターゲット対象番号（Ｔ＿ＮＯ）が指す撮影ターゲットの座標情報７２を内部メモリから取得する。そしてステップＳ４６として、図７のステップＳ３１の処理と同様、ステップＳ４５で取得した座標情報７２を元にベストアングル範囲を決定し、決定したベストアングル範囲の範囲情報７３を内部メモリに格納する。
【００５７】
そしてステップＳ４７として、決定したベストアングル範囲を表示画面内に表示し、ステップＳ４８としてベストアングル範囲の画像の画像データをベストアングルメモリ３１へ記憶して本処理を終了する。
【００５８】
このように、図８に示した処理を行うことで、使用者がターゲット変更ボタン１３を押下する毎に、対象とする撮影ターゲットを変更し、その撮影ターゲットのベストアングル範囲を表示画面上に表示することが出来る。
【００５９】
図９は、図５のステップＳ４に対応する、撮影時の処理を示すフローチャートである。尚同図の処理も、入出力制御部１６が自己の内部メモリに記憶されているプログラムを実行することによって実現される。
【００６０】
本処理では、入出力制御部２６は、ステップＳ５１として画像処理メモリに記憶されている表示画面上に表示されている画像の画像データの撮影範囲の部分と、ステップＳ３４、Ｓ４８でベストアングルメモリ３１内に格納したベストアングル範囲の画像データを対比させる。その結果、両者がほぼ一致すれば（ステップＳ５２、ＹＥＳ）、ステップＳ５３として、ベストアングル範囲を表示する枠の色を変えたり、点滅させる等、或いは音声によって使用者に報知し、一致しなければ（ステップＳ５２、ＮＯ）、ステップＳ５３の処理をスキップする。
【００６１】
この状態において、入出力制御部２６は、使用者がシャッターボタン１４を押下したのを検知しなければ（ステップＳ５４、ＮＯ）、処理をステップＳ５１に戻す。またステップＳ５４で、シャッターボタン１４の押下を検知すると（ステップＳ５４、ＹＥＳ）、ステップＳ５５として、入出力制御部２６は、撮像制御部２４に対して撮影を指示し、撮像制御部２４は、画像処理部２５によってＡ／Ｄ変換器２３からの出力データに対してホワイトバランス等設定されているパラメータによって補正を加えた後に圧縮を行なって画像データを生成して画像処理用メモリ２９に格納する。
【００６２】
この図９に示した処理を行うことによって、最も良いと思われるアングルの撮影を行なうことができる。
尚上記した構成例に加え、撮影ターゲットの状態（色、形など）をメモリ内に保存しておき、その情報から表示範囲内から撮影ターゲットが無くなったと判断された場合は撮影状態が変わったとして再度撮影ターゲットのサーチから再処理を行なうようにしても良い。これにより、ベストアングル範囲が表示画面に表示された後に、撮影ターゲットが動いて範囲が変わってしまったり、表示範囲に新たに人等が入り込んで撮影状態が変わってしまう場合等、ベストアングル範囲が導出された後に状況が変化する場合にモ対処することが出来る。
【００６３】
また、本実施形態では、撮影ターゲットのサーチを画像処理によって行なっていたが、他の方法、例えば画像撮影装置にセンサを設け、このセンサからの情報から撮影ターゲットをサーチする構成としても良い。
【００６４】
更に、対象としている撮影ターゲットのベストアングル範囲を表示画面上の中央に自動的に表示させるように構成しても良い。また撮影ターゲットの範囲が表示画面上に最大に表示されるように、撮影ターゲットを中心として拡大表示、及び拡大撮影を行なうようにしても良い。
【図面の簡単な説明】
【００６５】
【図１】本実施形態における画像撮影装置による撮影の概略を示す図である。
【図２】実施形態における画像撮影装置の外観図を示す図である。
【図３】実施形態における画像撮影装置の内部構成例を示すブロック図である。
【図４】実施形態における画像撮影装置によるベストアングルをサーチするベストアングル処理時の動作を示す図である。
【図５】本実施形態の画像撮影装置の動作処理全体を示すフローチャートである。
【図６】ベストアングルモード設定処理における動作を示すフローチャートである。
【図７】撮影ターゲットをサーチしベストアングル範囲を表示する処理のフローチャートである。
【図８】対象としている撮影ターゲットの変更処理を示すフローチャートである。
【図９】撮影処理を示すフローチャートである。
【図１０】従来の画像撮影装置による撮影の概略を示す図である。
【符号の説明】
【００６６】
１              画像撮影装置
２              撮影ターゲット
３              表示画面
４              範囲
５              撮影範囲
６              写真
１１            モード設定ボタン
１２            モードオンオフボタン
１３            ターゲット変更ボタン
１４            シャッターボタン
１５            液晶表示部
２０            レンズ
２１            ＣＣＤ
２２            撮像プロセス
２３            Ａ／Ｄ変換器
２４            撮影制御部
２５            画像処理部
２６            入出力制御部
２７            表示部
２８            出力部
２９            画像処理用メモリ
３０            画像メモリ
３１            ベストアングルメモリ
３２            メモリカードインタフェース
【図３】
2005277724.tif 000003
【図５】
2005277724.tif 000004
【図６】
2005277724.tif 000005
【図７】
2005277724.tif 000006
【図８】
2005277724.tif 000007
【図９】
2005277724.tif 000008
【図１】
2005277724.tif 000009
【図２】
2005277724.tif 000010
【図４】
2005277724.tif 000011
【図１０】
2005277724.tif 000012